(57)【要約】【課題】緩衝材を下面に接着した防音二重床において、接着材を用いる方法では施工が煩雑で時間がかかるという問題があり、釘やタッカーを用いる方法では釘をとおしたサウンドブリッジによる防音性の低下や緩衝材の潰れにより釘とフローリング材との間に生じる異音の発生などの不具合があった。【解決手段】挟み込み用のパネルを緩衝材よりも大きくすること又は緩衝材の外側にずらしたことを特徴とする二重床を用いる。ベースパネルから遠い方の挟み込み材がベースパネルに近い方の挟み込み材をベースパネルと固定するのに用いる金具に接触させず、挟み込み用のパネル端部から緩衝材端部までのずらした距離をＬ、ベースパネルに遠い方の挟み込み材の厚さと緩衝材の厚さの和をＤとした場合、距離Ｌを厚さの和Ｄで除した値Ｌ／Ｄは０．２以上４以下とする。【選択図】　なし【特許請求の範囲】
【請求項１】
緩衝材を挟み込み用のパネルで両側から挟みこんだ二重床において、ベースパネルに近い方の挟み込み材を緩衝材よりも大きくすることによる、防音性の向上と施工性の簡略化を特徴とする二重床。
【請求項２】
緩衝材を挟み込み用のパネルで両側から挟みこんだ二重床において、ベースパネルに近い方の挟み込み材を緩衝材の外側にずらしたことによる、防音性の向上と施工性の簡略化を特徴とする二重床。
【請求項３】
ベースパネルから遠い方の挟み込み材が、ベースパネルに近い方の挟み込み材とベースパネルとの固定金具に接触していないことを特徴とした請求項１又は請求項２に記載の二重床。
【請求項４】
ベースパネルに近い方の挟み込み用のパネル端部から緩衝材端部までの距離Ｌをベースパネルから遠い方の挟み込み材と緩衝材との厚さの和Ｄで除した値Ｌ／Ｄが０．２以上４以下になることを特徴とした請求項１又は請求項２に記載の二重床。
【発明の詳細な説明】
【０００１】
【発明の属する技術分野】
本発明は、集合住宅、戸建て住宅用の二重床、特に防音性を高くする目的をもった二重床に関する。
【０００２】
【従来の技術】
集合住宅では、階上の住人が発生する音にその階下の住人が悩まされるといった音に起因した問題が多発する傾向にある。また、戸建ての住宅においても、例えば２階の物音が気になるなど、同様の問題が発生している。この問題を解決するため、住宅としての防音性が見直され、種々の工夫がなされている。
【０００３】
防音性については、緩衝材を用いる方法が有用であることは知られており、緩衝材を下面に接着したフローリング材が多用されてきている。この場合、緩衝材付のフローリング材をベース（構造）パネル、または、捨貼合板に固定することが必要である。しかし、その固定には接着剤が用いられていることが多く、その場合には施工が煩雑で時間がかかるという問題があった。
【０００４】
一方、接着剤を用いず、釘やタッカーなどの金具を用いて通常のフローリングと同じように固定する方法も考えられている。しかし、釘やタッカーで固定した場合、施工性は向上するが、釘やタッカーをとおしたサウンドブリッジによる防音性の低下、緩衝材の潰れのために釘とフローリング材との間に生じる異音の発生など、多くの不具合があった。
【０００５】
これらの改善のため、例えば特開２００２−１０６１５２号公報には表面材とその裏面に位置する緩衝材ボードをずらして一体に積層し、緩衝性ボードのズレ部分を利用して、構造パネルに釘などで固定することが開示されている。
【０００６】
また、例えば特開２００２−４７７８８号公報では緩衝材とその裏面に一体に積層した補強材を仕上げ材からずらし、そのズレ部分を利用して構造パネルに釘などで固定することが開示されている。
【０００７】
【発明が解決しようとする課題】
住宅内の防音性を高めるために、フローリング材と緩衝材を同時に固定する場合、接着材を用いる方法では、施工が煩雑で時間がかかるという問題があった。釘やタッカーを用いて通常のフローリングを留めるように固定した場合、施工性は向上するが、釘をとおしたサウンドブリッジによる防音性の低下、緩衝材の潰れにより釘とフローリング材との間に生じる異音の発生などの不具合があった。
【０００８】
また、特開２００２−１０６１５２号公報の方法では、緩衝性ボードの強度が要求され、その強度が十分でないと固定が不安定となり、位置ズレや床面の凹凸などの不具合が生じる。また、緩衝材が不織布などの場合は利用できない等の問題もあった。
【０００９】
さらに、特開２００２−４７７８８号公報では緩衝材の上から構造パネルに釘などで固定させるときに釘と仕上げ材が接触しているため、遮音性能が悪化したり、異音が発生する等の問題もあった。
【００１０】
【課題を解決するための手段】
上述の問題点を解決するために、鋭意検討した結果、本発明に至った。すなわち、緩衝材を挟み込み用のパネルで両側から挟みこんだ二重床において、ベースパネルに近い方の挟み込み材を緩衝材よりも大きくすることによる、防音性の向上と施工性の簡略化を特徴とした二重床を用いる。
【００１１】
また、緩衝材を挟み込み用のパネルで両側から挟みこんだ二重床において、ベースパネルに近い方の挟み込み材を緩衝材の外側にずらしたことをよる、防音性の向上と施工性の簡略化を特徴とする二重床を用いる。
【００１２】
このとき、ベースパネルから遠い方の挟み込み材がベースパネルに近い方の挟み込み材の固定用金具に接触していないことが重要である。
【００１３】
さらに、図１に示すように、挟み込み用のパネル４の端部から緩衝材２の端部までのずらした距離をＬ、ベースパネル５から遠い方の挟み込とフローリング材１の厚さと緩衝材２の厚さの和をＤとすると、距離Ｌを厚さの和Ｄで除した値Ｌ／Ｄは０．２以上４以下になることも有用である。
【００１４】
【発明の実施の形態】
挟み込み用のパネルを緩衝材よりも大きくとることにより、従来のような接着材を使用しなくても、衝撃材とベースパネルとの固定が可能となる。この場合、挟み込み用のパネルを緩衝材の外側にずらしても良い。この大きい部分、又は、ずれた部分を利用して固定すると、釘をとおしたサウンドブリッジによる防音性の低下も防ぐことができる。なお、フローリング材の一部は、挟み込み用のパネルと同様の効果をもつ場合があるので、その場合はいわゆるベースパネルから遠い方のパネルをフローリング材と考えることができる。また、ベースパネルから遠い方のパネルの上に通常のフローリング材を釘、タッカー等の固定部材で固定してもよい。
【００１５】
衝撃材よりも大きくする部分又はずらす部分の大きさは、本質的にはその大きさを問わないが、３ｍｍ〜３０ｍｍが望ましい。この部分の大きさが３ｍｍよりも小さいと、固定性及び施工性が悪化し、３０ｍｍよりも大きいと固定性が悪化する。
【００１６】
固定の方法については、釘を用いても良いし、タッカーを用いても良い。しかし、ベースパネルから遠い方の挟み込み材が、ベースパネルに近い方の挟み込み材をベースパネルと固定するのに用いる金具に接触していないことが重要である。直接緩衝材と繋がると、遮音の問題が発生する。このことは、極めて重要で、ほんの少しの接触でも、遮音効果は著しく下がる。もちろん、接着剤を使って固定しても良い。
【００１７】
また、挟み込み用のパネル端部から緩衝材端部までのずらした距離Ｌを、ベースパネルから遠い方の挟み込み材の厚さと緩衝材の厚さの和Ｄで、除した値Ｌ／Ｄが０．２〜４の範囲にあることが重要である。Ｌ／Ｄの値が０．２未満だと施工するのが難しく、ベースパネルとの固定強度が低下する。また、Ｌ／Ｄの値が４よりも大きいと固定性が悪化し、結果として施工性も悪化する。好ましくは０．３〜２の範囲である。
【００１８】
【実施例】
以下、実施例に基づき、述べる。
【００１９】
（実施例１）
図２に示すように、床基盤に防振ゴム８付の支持脚７を支えとして台座６の上に二重床のベースパネル５を施工した。このとき、厚さ１２ｍｍのフローリング材１と厚さ５．５ｍの合板４の間に厚さ４ｍｍの不織布２を挟み、ベースパネル５に接する位置に用いる下側の合板４のみフローリング材１の長辺の雄実方向に１２ｍｍずらした状態で予め一体化した。この積層体１、２および４をベースパネル５上に置き、ずらした合板４を利用してタッカー３でベースパネルに固定することにより、二重床を得た。
【００２０】
この時点で、ベースパネルから遠い方の挟み込み材１とベースパネル５との固定金具であるタッカー３が接触していないことを確認した。
【００２１】
上述したように簡単な施工で得られた二重床をＪＩＳ　Ａ　１４１８−１に基づいた床衝撃音遮断性能試験（軽量衝撃音の遮断性能）を実施したところ、２５０Ｈｚにおいてスラブ素面よりも１９ｄＢの改善がみられ、且つ、ベースパネル５と合板４がタッカー３により強く固定されており、フローリング材１の位置ズレなどの不具合は生じなかった。なお、このときのＬ／Ｄは、０．８であった。
【００２２】
（実施例２）
実施例１と同様にして、厚さ９ｍｍのフローリング材と厚さ１２ｍｍの合板の間に厚さ６ｍｍの不織布を挟み、ベースパネルに接する位置に用いる下側の合板のみフローリング材の長辺の雄実方向に６ｍｍずらした状態で予め一体化した。その積層体をベースパネル上に置き、ずらした合板部にタッカーを用いてベースパネルに固定し、二重床を得た。合板を固定したタッカーは緩衝材が間に位置するためにフローリング材と接触しない構造となっていることも確認した。
【００２３】
得られた二重床についてＪＩＳ　Ａ　１４１８−１に基づいて床衝撃音遮断性能試験（軽量衝撃音の遮断性能）を実施したところ、２５０Ｈｚにおいてスラブ素面よりも２０ｄＢの改善がみられ、且つ、ベースパネルと合板がタッカーにより強く固定されており、フローリング材の位置ズレなどの不具合は生じなかった。このときのＬ／Ｄは０．４であった。
（実施例３）
実施例１と同様にして、厚さ１０ｍｍのフローリング材と厚さ２ｍｍの低発泡ポリスチレン板の間に厚さ４ｍｍの不織布を挟み、ベースパネルに接する位置に用いる下側の低発泡ポリスチレン板のみフローリング材の長辺の雄実方向に１５ｍｍずらした状態で予め一体化した積層体をバースパネル上に置き、ずらした低発泡ポリスチレン板部にタッカーを用いてベースパネルに固定し二重床を得た。
【００２４】
得られた二重床は低発泡ポリスチレン板端部から緩衝材端部までのずらした距離Ｌをフローリング材の厚みと緩衝材の厚みの和Ｄで除した値Ｌ／Ｄは１．１であった。
【００２５】
この二重床についてＪＩＳ　Ａ　１４１８−１に基づいて床衝撃音遮断性能試験（軽量衝撃音の遮断性能）を実施したところ、５００Ｈｚにおいてスラブ素面よりも３０ｄＢの改善がみられ、且つ、ベースパネルと低発泡ポリスチレン板がタッカーにより強く固定されており、フローリング材の位置ズレなどの不具合は生じなかった。
【００２６】
（比較例１）
図３に示すように、実施例１と同様に床基盤に防振ゴム８付の支持脚７を支えとして台座６の上に二重床のベースパネル５を施工した。その施工したベースパネル５と厚さ１２ｍｍのフローリング材１と厚さ４ｍｍの不織布２を予め一体化した積層体を湿気硬化型接着剤１１で固定した二重床について検討した。
【００２７】
得られた二重床についてＪＩＳ　Ａ　１４１８−１に基づいて床衝撃音遮断性能試験（軽量衝撃音の遮断性能）を実施したところ、２５０Ｈｚにおいてスラブ素面よりも１９ｄＢの改善がみられたが、接着剤１１をベースパネル５に塗布する作業が煩雑かつ接着剤の硬化が完了するまでに２４時間必要であるなど、施工性に問題があった。
【００２８】
（比較例２）
実施例２と同様にして、厚さ９ｍｍのフローリング材と厚さ１２ｍｍの合板の間に厚さ６ｍｍの不織布を挟み、不織布とベースパネルに接する位置に用いる下側の合板をフローリング材の長辺の雄実方向に６ｍｍずらした状態で予め一体化した積層体をベースパネル上に置き、ずらした不織布と合板部に不織布の上からタッカーを用いてベースパネルに固定し二重床を得た。
【００２９】
得られた二重床についてＪＩＳ　Ａ　１４１８−１に基づいて床衝撃音遮断性能試験（軽量衝撃音の遮断性能）を実施したところ、２５０Ｈｚにおいてスラブ素面よりも１７ｄＢの改善がみられたが、実施例２と比較すると３ｄＢ遮音性が悪化していた。参考までに述べると、このときのＬ／Ｄは０となる。
【００３０】
（比較例３）
実施例３と同様にして、厚さ１０ｍｍのフローリング材と厚さ２ｍｍの低発泡ポリスチレン板の間に厚さ４ｍｍの不織布を挟み、ベースパネルに接する位置に用いる下側の低発泡ポリスチレン板のみフローリング材の長辺の雄実方向に２ｍｍずらした状態で予め一体化した積層体をベースパネル上に置き、ずらした低発泡ポリスチレン板部にタッカーを用いてベースパネルに固定し二重床を得た。得られた二重床は低発泡ポリスチレン板端部から緩衝材端部までのずらした距離Ｌをフローリング材の厚さと緩衝材の厚さの和Ｄで除した値Ｌ／Ｄは０．１４であった。
【００３１】
この二重床についてＪＩＳ　Ａ　１４１８−１に基づいて床衝撃音遮断性能試験（軽量衝撃音の遮断性能）を実施したところ、５００Ｈｚにおいてスラブ素面よりも３０ｄＢの改善がみられたが、施工が難しく、且つ、試験終了後、一部のフローリング材がずれる不具合が発生した。
【００３２】
（比較例４）
厚さ６ｍｍのフローリング材と厚さ２ｍｍの低発泡ポリスチレン板の間に厚さ２ｍｍの不織布を挟み、ベースパネルに接する位置に用いる下側の低発泡ポリスチレン板のみフローリング材の長辺の雄実方向に４０ｍｍずらした。
【００３３】
この二重床を安定した状態とするには、タッカーを２列に組まざるを得ず、施工性に問題があることが分かったため、床衝撃音遮断性能試験の測定は行わなかった。なお、このときのＬ／Ｄは５であった。
【００３４】
【発明の効果】
二重床に用いる緩衝材の施工方法の簡略化と防音性能の向上
【図面の簡単な説明】
【図１】本発明の二重床の概略構造図を説明する断面図である。
【図２】実施例１に示した床構造の断面図である。
【図３】接着材による従来の施工法の一例を示す断面図である。
【符号の説明】
１　フローリング材（ベースパネルから遠い方の挟み込み材も含む）
２　緩衝材
３　固定金具（タッカー）
４　ベースパネルに近い方の挟み込み材（合板）
５　ベースパネル
６　台座
７　支持脚
８　防振ゴム
１１　接着剤
【図１】
2004068452.tif 000002
【図２】
2004068452.tif 000003
【図３】
2004068452.tif 000004